(57)【特許請求の範囲】
【請求項１】
基材表面に間隔を隔てて設けられた目地溝部を有する基材に目地溝部の左右で異なる色の塗装を施した多色塗装品であって、目地溝部がＶ字状であって、目地溝部内に色目の境界が設けられ、溝内壁面の各々の色は各々連続する基材表面の色と同一とされていることを特徴とする多色塗装品。
【請求項２】
請求項１の多色塗装品の塗装方法であって、塗装ガンによるスプレー塗装において、スプレー端が目地溝部内の色目の境界に一致するように、かつ、塗装圧力を５０ｋｇ／ｃｍ2もしくはそれ以下の低圧に調整して塗装することを特徴とする多色塗装品の塗装方法。
【請求項３】
同一色とされる基材表面とこれに連続する目地溝部内壁面に対し、目地溝部の横方向からスプレー塗装する請求項２の塗装方法。
【請求項４】
塗装ガンは多色切り替え可能な塗装ガンである請求項２または３の塗装方法。
【発明の詳細な説明】
【０００１】
【発明の属する技術分野】
この出願の発明は、多色塗装品と塗装方法に関するものである。さらに詳しくは、この出願は、瓦や外壁材等の無機質板建材の多色塗装品等として有用な、溝付多色塗装品とそのための塗装方法に関するものである。
【０００２】
【従来の技術】
従来より、瓦や外壁材等の建材においては、外観意匠性の観点より、基材に目地溝部を設け、その目地溝部の左右で異なる色の塗装を施すことが行われてきている。
たとえば図５はその一例を示したものであって、基材（Ｐ）の目地溝部（Ｄ１）（Ｄ２）の各々の左右において異なる色の塗装、すなわち、目地溝部（Ｄ１）の左右ではＡ色とＢ色、目地溝部（Ｄ２）の左右ではＢ色とＣ色との異なる色の装飾が行われている。
【０００３】
【発明が解決しようとする課題】
しかしながら、以上のような多色塗装を基材（Ｐ）に対して施す場合、通常は、多色塗装のためには、境界としての目地溝部の左右のいずれか一方の基材表面をマスキングして左右一色毎に塗装しなければならなかった。このため、塗装の効率化、量産プロセスとしては実際上の大きな問題点を残していた。
【０００４】
そしてまた、従来の目地を有する多色塗装品の場合には、目地溝部は多色塗装に際して基材表面とは別途の扱いがなされており、目地溝部内には独自の塗装が行われるのが普通であった。このため、従来品においては、目地溝部内の塗装という手間がかかり、生産性の上で問題があり、しかも、目地溝部内の色と基材表面の色との組合せの選択が容易でなく、かえって、異なる色の鮮明な対比としての多色塗装の外観意匠性を制約する原因ともなっていた。多色塗装のシャープな色彩感が制約されていた。
【０００５】
そこで、この出願の発明は、以上のとおりの従来の問題点を解消し、目地溝部を有する多色塗装品についてその生産性を向上させることができ、しかも多色塗装の色の対比の鮮明さによる外観性の向上を図ることも可能な、新しい多色塗装品とその塗装方法を提供することを課題としている。
【０００６】
【課題を解決するための手段】
この出願の発明は、上記の課題を解決するものとして、第１には、基材表面に間隔を隔てて設けられた目地溝部を有する基材に目地溝部の左右で異なる色の塗装を施した多色塗装品であって、前記目地溝部がＶ字状であって、目地溝部内に色目の境界が設けられ、溝内壁面の各々の色は各々連続する基材表面の色と同一とされている多色塗装品を提供する。
【０００７】
また、この出願の発明は、第２には、前記多色塗装品の塗装方法であって、塗装ガンによるスプレー塗装のスプレー端が目地溝部内の色目の境界に一致するように、かつ、塗装圧力を５０ｋｇ／ｃｍ2もしくはそれ以下の低圧に調整して塗装することを多色塗装品の塗装方法を提供し、第３には、同一色とされる基材表面とこれに連続する目地溝部内壁面に対し、目地溝部の横方向からスプレー塗装する製造方法を、第４には、塗装ガンが多色切り替え可能な塗装ガンである塗装方法を提供する。
【０００８】
【発明の実施の形態】
この出願の発明は上記のとおりの特徴をもつものであるが、以下にその実施の形態について説明する。
添付した図面の図１は、この発明の多色塗装品とそのための塗装方法を例示した断面構成図である。
【０００９】
たとえばこの図１に例示したように、この発明の多色塗装品においては、目地溝部（Ｄ）を有する基材（Ｐ）に、目地溝部（Ｄ）の左右で異なる色（Ａ）（Ｂ）の塗装が施されており、しかも、目地溝部（Ｄ）内には色目の境界（Ｌ）が設けられている。より具体例に沿って説明すると、この図１の場合には、目地溝部（Ｄ）がＶ字状であって、溝内壁面（ＷＡ）（ＷＢ）の各々は、この各々が連続する基材（Ｐ）表面の色（Ａ）（Ｂ）と同一とされている。つまり、図１では、左側の溝内壁面（ＷＡ）の色（Ａ）は、左側の基材表面の色（Ａ）と同じであり、一方、右側の溝内壁面（ＷＢ）の色（Ｂ）は、右側の基材表面の色（Ｂ）と同じである。
【００１０】
ここで、「溝部」についてさらに説明すると、より好適には、外観意匠性、そして塗装性の観点からは図１のようにＶ字状であるものが考慮されるが、必ずしも限定されることはない。底面を持つ溝部や、部分的に貫通した溝部、あるいは湾曲した形状の溝部であってもよい。そして、溝部の内壁面に「連続」した基材表面とは、図１の例からもわかるように、「別の内壁面、もしくは対向する内壁面を介して基材表面に至る」状態を意味しておらず、一つの溝内壁面と基材表面とが直ちに接している状態を意味している。
【００１１】
以上のようなこの発明の多色塗装品の場合には、従来のように、色（Ａ）（Ｂ）とは異なる第三の色によって溝部（Ｄ）内を塗装していないため、色（Ａ）（Ｂ）による組合わせの視覚効果が鮮明であり、しかも目地溝部（Ｄ）の存在が独特の奥行き感、深み感を与えることになる。色（Ａ）（Ｂ）に対し第三の色を溝部（Ｄ）内に塗装する場合には、色（Ａ）（Ｂ）のシャープな対比が得られず、かえって第三の色によって色（Ａ）（Ｂ）の組合わせの感覚を損うことがある。この発明においてはこのような問題は生じない。
【００１２】
この発明の多色塗装品の塗装方法では、図１に例示したように、塗装ガン（Ｇ）によるスプレー塗装として、スプレー端（Ｓ）が目地溝部（Ｄ）内の色目の境界（Ｌ）に一致するように塗装することを特徴としている。
この方法においては、図１に例示したように、同一色（Ａ）とされる基材表面とこれに連続する目地溝部内壁面（ＷＡ）に対し、目地溝部（Ｄ）の横方向からスプレー塗装することが考慮される。
【００１３】
より具体的に、基材（Ｐ）に３色（Ａ）（Ｂ）（Ｃ）の多色塗装を施す場合を、塗装ガンの平面配置として例示したものが図２である。
５個の塗装ガンが用いられており、各々の塗装ガンには、色（Ａ）（Ｂ）（Ｃ）に各々相当するポンプＡ、ポンプＢ、ポンプＣによりレギュレーターを介して必要な色の塗料が送られる。塗装は、三段階のステップとして行われるようになっている。ｓｔｅｐ１、ｓｔｅｐ２、そしてｓｔｅｐ３である。色（Ａ）の塗装は、二つの塗装ガン（１）（３）によりｓｔｅｐ１およびｓｔｅｐ３で、色（Ｂ）の塗装は、一つの塗装ガン（２）によりｓｔｅｐ２で、色（Ｃ）の塗装は、色（Ａ）の場合と同様に、二つの塗装ガン（１）（３）によりｓｔｅｐ１およびｓｔｅｐ３で行われる。
【００１４】
色目の境界をクリアーにするためには、塗装ガンによるスプレー塗装は比較的低圧で行うように調整するのが好ましい。あまり高い圧力では、スプレーした塗料の拡大によって色目の境界が不鮮明になりやすいからである。塗装ガンと基材との間の距離にもよるが、一般的な目安としては、塗装圧力は、５０ｋｇ／ｃｍ2 もしくはそれ以下の低圧に調整することが考慮される。
【００１５】
また、この発明の塗装方法においては、一つの塗装ガンとして多色切り替え可能なものを使用することで、瞬時に切り替えを行って部分的に塗装色を変えることができる。
たとえば図３に例示したように、１枚目の基材に対しては、塗装ガン（Ｇ１）（Ｇ２）により色（Ａ）を、塗装ガン（Ｇ３）により色（Ｂ）をこの発明の方法により塗装し、瞬時に多色切り替えして、２枚目の基材では、塗装ガン（Ｇ１）（Ｇ２）により色（Ｃ）を塗装し、塗装ガン（Ｇ３）では色（Ａ）を、塗装ガン（Ｇ４）（Ｇ５）では色（Ｂ）を塗装する。このようにすることで、連続生産ラインでの多種の色を組み合わせた塗装品の生産が可能になる。
【００１６】
このような切り替え可能な塗装ガンについては、図４に例示したように、電磁弁により切り替え可能とした構成のものが例示される。
もちろん、この出願の発明は以上の例によって何ら限定されるものではない。その細部の形態は様々に可能とされる。
【００１７】
【発明の効果】
以上詳しく説明したとおり、この出願の発明によって、異なる色の対比が鮮明で、溝部の存在によって独特の深みも得られる多色塗装の外観意匠性に優れた、溝部付きの多色塗装品が提供され、また、連続生産ラインでも生産性の高い塗装がこの発明によって可能となる。
【００１８】
また、多色切り替え塗装によって、ランダムな塗装外観の組み合わせを得ることができる。
【図面の簡単な説明】
【図１】この発明の多色塗装品と塗装方法を例示した断面構成図である。
【図２】この発明の塗装方法としての塗装ガンの平面配置を例示した平面図である。
【図３】多色切り替え塗装を例示した平面図である。
【図４】多色切り替え塗装ガンの構成を例示した概要図である。
【図５】従来の多色塗装について説明した平面図である。
【符号の説明】
Ａ，Ｂ，Ｃ  色
Ｄ，Ｄ１，Ｄ２  目地溝部
Ｌ  色目の境界
Ｐ  基材
ＷＡ，ＷＢ  溝部内壁面
Ｓ  スプレー端
Ｇ，Ｇ１，Ｇ２，Ｇ３，Ｇ４，Ｇ５  塗装ガン
【図１】
0003877913.tif 000002
【図２】
0003877913.tif 000003
【図３】
0003877913.tif 000004
【図４】
0003877913.tif 000005
【図５】
0003877913.tif 000006